(57)【要約】【課題】特別な回路を追加することなく、給電が停止するときの表示乱れの問題を解消できる液晶表示装置を提供すること。【解決手段】液晶表示装置１０は、液晶表示モジュール４と、プロセッサー１と、を備える。前記液晶表示モジュール４は、駆動クロック信号Ｃｋ０および画像信号Ｉｍ０が入力され、前記駆動クロック信号Ｃｋ０に応じて動作しつつ前記画像信号Ｉｍ０に対応する画像を表示する。前記プロセッサー１は、予め定められた給電停止イベントが発生したときに、それまでに出力されている前記駆動クロック信号Ｃｋ０の周波数よりも高い周波数の前記駆動クロック信号Ｃｋ０を前記液晶表示モジュール４へ出力する。【選択図】図１
2019032452.tif 000002
【特許請求の範囲】
【請求項１】
駆動クロック信号および画像信号が入力され、前記駆動クロック信号に応じて動作しつつ前記画像信号に対応する画像を表示する液晶表示モジュールと、
予め定められた給電停止イベントが発生したときに、それまでに出力されている前記駆動クロック信号の周波数よりも高い周波数の前記駆動クロック信号を前記液晶表示モジュールへ出力するプロセッサーと、を備える液晶表示装置。
【請求項２】
前記プロセッサーは、前記給電停止イベントが発生したときに、全画素値が均一な無画像を表す前記画像信号およびそれまでに出力されている前記駆動クロック信号の周波数よりも高い周波数の前記駆動クロック信号を前記液晶表示モジュールへ出力する、請求項１に記載の液晶表示装置。
【発明の詳細な説明】
【技術分野】
【０００１】
本発明は、表示乱れを防ぐ制御を行う液晶表示装置に関する。
【背景技術】
【０００２】
一般に、液晶表示装置は、表示状態を維持するための多くのコンデンサーを備える。前記液晶表示装置への給電が停止するときに、前記コンデンサーの放電が不十分な状態で、前記液晶表示装置の信号処理が停止する場合がある。
【０００３】
そのため、前記液晶表示装置において、給電が停止するときに、想定外の無意味な画像が表示されてしまう表示乱れの問題が生じやすいことが知られている。この問題は、電源ＯＦＦ時の残像の問題などともいわれる。
【０００４】
例えば、前記液晶表示装置が、通常の駆動信号とは異なる代替信号を生成する特別な回路を備え、その特別な回路が、給電が停止するときに前記駆動信号の代わりに前記代替信号をロジック処理部へ供給することなどが知られている（例えば、特許文献１参照）。
【先行技術文献】
【特許文献】
【０００５】
【特許文献１】特開２０１４−０１０２３１号公報
【発明の概要】
【発明が解決しようとする課題】
【０００６】
ところで、前記液晶表示装置において、特別な回路を追加することなく、給電が停止するときの表示乱れの問題を解消できることが望ましい。
【０００７】
本発明の目的は、特別な回路を追加することなく、給電が停止するときの表示乱れの問題を解消できる液晶表示装置を提供することにある。
【課題を解決するための手段】
【０００８】
本発明の一の局面に係る液晶表示装置は、液晶表示モジュールと、プロセッサーと、を備える。前記液晶表示モジュールは、駆動クロック信号および画像信号が入力され、前記駆動クロック信号に応じて動作しつつ前記画像信号に対応する画像を表示する。前記プロセッサーは、予め定められた給電停止イベントが発生したときに、それまでに出力されている前記駆動クロック信号の周波数よりも高い周波数の前記駆動クロック信号を前記液晶表示モジュールへ出力する。
【発明の効果】
【０００９】
本発明によれば、特別な回路を追加することなく、給電が停止するときの表示乱れの問題を解消できる液晶表示装置を提供することが可能になる。
【図面の簡単な説明】
【００１０】
【図１】図１は、実施形態に係る液晶表示装置のブロック図である。
【図２】図２は、実施形態に係る液晶表示装置における駆動クロック信号、画像信号および給電停止信号の変化の一例を示すタイムチャートである。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
図１に示されるように、実施形態に係る液晶表示装置１０は、ＣＰＵ（Central Processing Unit）１、ＲＡＭ（Random Access Memory）２、二次記憶装置３、ＬＣＤ（Liquid Crystal Display）モジュール４、給電回路５および給電判定回路６などを備える。
【００１３】
ＬＣＤモジュール４は、駆動クロック信号Ｃｋ０および画像信号Ｉｍ０が入力され、駆動クロック信号Ｃｋ０に応じて動作しつつ画像信号Ｉｍ０に対応する画像を表示する。
【００１４】
ＬＣＤモジュール４は、不図示のＬＣＤパネル、ゲートドライバー、ソースドライバー、ＲＧＢデコーダー、タイミングコントローラーおよびバックライトなどを備える。さらに、ＬＣＤモジュール４は、表示状態を維持するための不図示の複数のコンデンサーを備える。
【００１５】
前記タイミングコントローラーは、駆動クロック信号Ｃｋ０に基づいて垂直制御信号および水平制御信号などのタイミング信号を生成する。前記ＲＧＢデコーダーは、画像信号Ｉｍ０に基づいて主走査方向１ライン分の描画信号を順次生成する。
【００１６】
前記ゲートドライバーは、前記垂直制御信号に同期して、前記ＬＣＤパネルの複数のゲートラインを順次活性化させる。前記ソースドライバーは、前記水平制御信号に同期して、主走査方向１ライン分の前記描画信号を前記ＬＣＤパネルに出力する。前記バックライトは、前記ＬＣＤパネルを背面側から照明する。
【００１７】
ＣＰＵ１は、予め二次記憶装置３に記憶されたプログラムを実行することにより、各種の演算およびＬＣＤモジュール４の制御を行うプロセッサーである。ＣＰＵ１は、信号インターフェイス１ｘを備え、信号インターフェイス１ｘを通じて各種の信号を入力し、さらに、各種の信号を出力する。
【００１８】
例えば、ＣＰＵ１は、予め二次記憶装置３に記憶されたプログラムを実行することにより、主制御部１１ａおよび停止制御部１１ｂとして動作する。
【００１９】
主制御部１１ａは、給電判定回路６からアクティブな給電検出信号Ｓｄ０を受信したときにＬＣＤモジュール４を起動させ、さらに、ＬＣＤモジュール４に画像を表示させる処理を実行する。
【００２０】
主制御部１１ａは、ＬＣＤモジュール４に対して予め定められた標準周波数ｆ０の駆動クロック信号Ｃｋ０と、各種の画像を表す画像信号Ｉｍ０とをＬＣＤモジュール４へ出力する（図２参照）。これにより、ＬＣＤモジュール４が、画像信号Ｉｍ０に対応する画像を表示する。
【００２１】
一方、停止制御部１１ｂは、給電判定回路６からネガティブな給電検出信号Ｓｄ０を受信したときにＬＣＤモジュール４を停止させる処理を実行する。ＬＣＤモジュール４を停止させる処理の詳細については後述する。
【００２２】
ＣＰＵ１とＬＣＤモジュール４との間における駆動クロック信号Ｃｋ０の伝送ラインは、プルダウン抵抗７を介して接地部と電気的に接続されている。プルダウン抵抗７は、例えば１メガオーム以上の高抵抗の素子である。
【００２３】
ＲＡＭ２は、ＣＰＵ１が実行する前記プログラムおよびＣＰＵ１が前記プログラムを実行する過程で出力および参照するデータを一次記憶する主記憶装置である。
【００２４】
二次記憶装置３は、コンピューター読み取り可能な不揮発性のデータ記憶装置である。二次記憶装置３は、前記各種のプログラムおよび各種のデータを記憶可能である。例えば、フラッシュメモリーまたはハードディスクドライブなどが、二次記憶装置３として採用されることが考えられる。
【００２５】
給電回路５は、不図示の直流電源回路から手動スイッチ８を介して入力される基準直流電圧Ｖ０を、ＣＰＵ１およびＬＣＤモジュール４などの負荷機器ごとの仕様に応じた負荷直流電圧Ｖ１，Ｖ２へ変換し、負荷直流電圧Ｖ１，Ｖ２を前記負荷機器へ供給する回路である。
【００２６】
給電判定回路６は、給電回路５に入力される基準直流電圧Ｖ０が予め定められた基準レベル以上であるか否かを判定する回路である。前記基準レベルは、安定した負荷直流電圧Ｖ１，Ｖ２を生成するために必要な電圧レベルである。
【００２７】
本実施形態において、給電判定回路６は、基準直流電圧Ｖ０が前記基準レベル以上であると判定した場合にアクティブな給電検出信号Ｓｄ０を出力し、基準直流電圧Ｖ０が前記基準レベルを下回っていると判定した場合にネガティブな給電検出信号Ｓｄ０を出力する。
【００２８】
ところで、液晶表示装置１０において、特別な回路を追加することなく、給電が停止するときの前記表示乱れの問題を解消できることが望ましい。
【００２９】
液晶表示装置１０に特別な回路を追加することなく、給電が停止するときの前記表示乱れの問題を解消するため、停止制御部１１ｂは、以下に示される処理を実行する。
【００３０】
即ち、停止制御部１１ｂは、ネガティブな給電検出信号Ｓｄ０が発生したときに、標準周波数ｆ０よりも高い予め定められた終了周波数ｆ１の駆動クロック信号Ｃｋ０をＬＣＤモジュール４へ出力する（図２参照）。それと同時に、停止制御部１１ｂは、全画素値が均一な無画像を表す画像信号Ｉｍ０をＬＣＤモジュール４へ出力する。
【００３１】
本実施形態において、標準周波数ｆ０は、ネガティブな給電検出信号Ｓｄ０が発生するまでに出力されている駆動クロック信号Ｃｋ０の周波数である。
【００３２】
図２における時点Ｔ０は、給電検出信号Ｓｄ０がアクティブからネガティブへ変化した時点である。ＣＰＵ１は、予め定められた周波数の基準クロック信号を出力する発振素子と、前記基準クロック信号を逓倍または分周する回路とを内蔵する。これにより、ＣＰＵ１は、周波数の異なる複数種類の駆動クロック信号Ｃｋ０を出力可能である。
【００３３】
例えば、終了周波数ｆ１が、ＬＣＤモジュール４における駆動クロック信号Ｃｋ０の定格周波数であることが考えられる。前記定格周波数は、ＬＣＤモジュール４が動作可能な周波数範囲のうちの最大の周波数である。
【００３４】
図２に示されるように、ＣＰＵ１は、終了周波数ｆ１の駆動クロック信号Ｃｋ０を出力した後、給電の停止によって動作が停止する。これにより、駆動クロック信号Ｃｋ０の出力も停止する。
【００３５】
また、前記無画像を表す画像信号Ｉｍ０が、最も接地電位に近い最低レベルの画像信号Ｉｍ０であることが考えられる。
【００３６】
ネガティブな給電検出信号Ｓｄ０の発生は、予め定められた給電停止イベントの一例である。例えば、手動スイッチ８がオフにされた場合に、給電判定回路６は、ネガティブな給電検出信号Ｓｄ０を発生させる。
【００３７】
本実施形態によれば、負荷直流電圧Ｖ１，Ｖ２を生成する給電回路５に入力される基準直流電圧Ｖ０が前記基準電圧を下回ったときに、標準周波数ｆ０よりも高い終了周波数ｆ１の駆動クロック信号Ｃｋ０がＬＣＤモジュール４に供給される。これにより、ＬＣＤモジュール４の消費電力が増大する。
【００３８】
従って、ＣＰＵ１の処理が停止するまでに、前記表示乱れの原因となるＬＣＤモジュール４の前記コンデンサーの残留電荷が、速やかに放出される。その結果、前記画像乱れの発生を回避することができる。
【００３９】
さらに、基準直流電圧Ｖ０が前記基準電圧を下回ったときに、全画素値が均一な無画像を表す画像信号Ｉｍ０をＬＣＤモジュール４へ出力する処理が実行される。この処理は、ＬＣＤモジュール４の不具合が生じたように見える乱れた画像が、ＬＣＤモジュール４に表示されることを防ぐ。
【００４０】
また、プルダウン抵抗７の作用により、ＣＰＵ１が停止した後に、ローレベルでもハイレベルでもない中途半端なレベルの画像信号Ｉｍ０がＬＣＤモジュール４に供給されてしまうことが防止される。このことも、前記表示乱れの防止に寄与する。
【符号の説明】
【００４１】
１      ：ＣＰＵ（プロセッサー）
１ｘ    ：信号インターフェイス
２      ：ＲＡＭ
３      ：二次記憶装置
４      ：ＬＣＤモジュール
５      ：給電回路
６      ：給電判定回路
７      ：プルダウン抵抗
８      ：手動スイッチ
１０    ：液晶表示装置
１１ａ  ：主制御部
１１ｂ  ：停止制御部
Ｃｋ０  ：駆動クロック信号
Ｉｍ０  ：画像信号
Ｓｄ０  ：給電検出信号
Ｖ０    ：基準直流電圧
Ｖ１    ：負荷直流電圧
Ｖ２    ：負荷直流電圧
ｆ０    ：標準周波数
ｆ１    ：終了周波数
【図１】
2019032452.tif 000003
【図２】
2019032452.tif 000004